(57)【要約】【課題】  タオルをキャディバッグ等に見栄えよく吊着し、しかもタオルのズレ落ちを防止して確実に保持することができるタオル保持具を提供する。【解決手段】  タオル保持具（１）は、貫通孔が穿設された平板状のタグ体（２）と、タオル（Ｔ）を通し入れることができる開口部（１５）を有し、開口部（１５）に沿って、タグ体（２）を収容する凹部（１６）が正面側に形成されるとともに、貫通孔が穿設された平板状のリング体（３）と、タグ体（２）の貫通孔とリング体（３）の貫通孔とを挿通して設けられ、タグ体（２）及びリング体（３）を下方に懸吊する吊着体（４）と、を備え、リング体（４）の開口部（１５）下端に引っ掛けられたタオル（Ｔ）を、タグ体（２）とリング体（３）との間に挟持して、タオル（Ｔ）のズレ落ちを防止するようになされている。【選択図】  図１
0003131747.tif 000002
【実用新案登録請求の範囲】
【請求項１】
貫通孔が穿設された平板状のタグ体と、
タオルを通し入れることができる開口部を有し、該開口部に沿って、該タグ体を収容する凹部が正面側に形成されるとともに、貫通孔が穿設された平板状のリング体と、
該タグ体の貫通孔と該リング体の貫通孔とを挿通して設けられ、該タグ体及び該リング体を下方に懸吊する吊着体と、を備え、
該リング体の該開口部下端に引っ掛けられたタオルを、該タグ体と該リング体との間に挟持して、タオルのズレ落ちを防止するようになされたタオル保持具。
【請求項２】
該タグ体は、正面側に、装飾模様が略全面に付されるとともに、背面側に、使用者の氏名等の使用者情報が表示され、
該リング体の背面側から、該開口部を介して、該タグ体に表示された使用者情報を視認可能となされた請求項１に記載のタオル保持具。
【請求項３】
該吊着体は、該タグ体の貫通孔と該リング体の貫通孔とを挿通し、一端には掛止金具が取着され、他端には複数の掛止孔が設けられたベルトからなり、
該掛止金具に支持されるピンを、該掛止孔に選択的に差し込むことによって、該ベルト一端の該掛止金具に、該ベルト他端を、長さ調節自在に掛止可能となされた請求項１又は２に記載のタオル保持具。
【考案の詳細な説明】
【技術分野】
【０００１】
本考案は、タオル保持具に関し、特にタオルをキャディバッグ等に吊着して、保持するためのゴルフ用タオル保持具に関する。
【背景技術】
【０００２】
従来、ゴルフプレーヤーは、プレーに際して、手や顔の汗をぬぐったり、ゴルフクラブを拭いたりするために、タオルを携帯することがある。
そして、この場合、ゴルフプレーヤーは、衣服のポケットに突っ込んだり、キャディバッグに縛り付ける等して、上記タオルを携帯していた。
【０００３】
一方で、ゴルフボールを収納して、キャディバッグ等に吊下げられるようにした携帯用ゴルフボール入れ（例えば特許文献１）や、ボールマーカーを、磁石を介して、ゴルフプレーヤーの衣服に着脱可能に保持されるようにしたボールマーカー携帯具（例えば特許文献２乃至３）が公知となっている。
【０００４】
【特許文献１】特開平８−８９５９９
【特許文献２】実開昭６２−１３０６７５号
【特許文献３】実開昭６１−９４０６２号
【考案の開示】
【考案が解決しようとする課題】
【０００５】
上記特許文献１乃至３のように、ゴルフボールやボールマーカーを保持携帯するための用具は、従来から数多く存在するが、タオルをキャディバッグ等に吊着し、保持するためのタオル保持具については、これまで考案されていなかった。
【０００６】
そこで、本考案は上記問題に鑑みてなされたものであり、タオルをキャディバッグ等に見栄えよく吊着し、しかもタオルのズレ落ちを防止して確実に保持することができるタオル保持具を提供することを目的とするものである。
【課題を解決するための手段】
【０００７】
上記の課題を解決するために、請求項１に記載のタオル保持具は、貫通孔が穿設された平板状のタグ体と、
タオルを通し入れることができる開口部を有し、該開口部に沿って、該タグ体を収容する凹部が正面側に形成されるとともに、貫通孔が穿設された平板状のリング体と、
該タグ体の貫通孔と該リング体の貫通孔とを挿通して設けられ、該タグ体及び該リング体を下方に懸吊する吊着体と、を備え、
該リング体の該開口部下端に引っ掛けられたタオルを、該タグ体と該リング体との間に挟持して、タオルのズレ落ちを防止するようになされたことを要旨とする。
【０００８】
また、請求項２に記載のタオル保持具は、請求項１に記載の構成において、該タグ体は、正面側に、装飾模様が略全面に付されるとともに、背面側に、使用者の氏名等の使用者情報が表示され、
該リング体の背面側から、該開口部を介して、該タグ体に表示された使用者情報を視認可能となされたことを要旨とする。
【０００９】
また、請求項３に記載のタオル保持具は、請求項１又は２に記載の構成において、該吊着体は、該タグ体の貫通孔と該リング体の貫通孔とを挿通し、一端には掛止金具が取着され、他端には複数の掛止孔が設けられたベルトからなり、
該掛止金具に支持されるピンを、該掛止孔に選択的に差し込むことによって、該ベルト一端の該掛止金具に、該ベルト他端を、長さ調節自在に掛止可能となされたことを要旨とする。
【考案の効果】
【００１０】
本考案によれば、貫通孔が穿設された平板状のタグ体と、タオルを通し入れることができる開口部を有し、該開口部に沿って、該タグ体を収容する凹部が正面側に形成されるとともに、貫通孔が穿設された平板状のリング体と、該タグ体の貫通孔と該リング体の貫通孔とを挿通して設けられ、該タグ体及び該リング体を下方に懸吊する吊着体と、を備え、該リング体の該開口部下端に引っ掛けられたタオルを、該タグ体と該リング体とによって挟持して、タオルのズレ落ちを防止するようになされたタオル保持具であるため、タオルをキャディバッグ等に見栄えよく吊着し、しかもタオルのズレ落ちを防止して確実に保持することが可能となる。
【考案を実施するための最良の形態】
【００１１】
本考案に係るタオル保持具は、タグ体と、リング体と、吊着体と、を主として備えるものである。
タグ体とリング体は、何れも貫通孔が穿設された平板状をなすように構成し、リング体には、タオルを通し入れることができる大きさ、形状の開口部を設ける。そして、開口部に沿って、タグ体を収容する凹部を、リング体の正面側に形成する。
タグ体は、使用者の氏名等、使用者に関わる情報（使用者情報）を表示して、タグとしての機能を果たし得るものである。
【００１２】
タグ体、及びリング体は、それぞれ正面視（外形）で円形、楕円形、三角形、四角形、多角形等いかなる形状であってもよいが、携帯性の観点からは、タグ体をリング体に収容した際の全体形状が、なるべく薄く、丸みを帯びた形状となるように構成することが好ましい。
【００１３】
本考案に係るタオル保持具は、リング体の開口部下端に引っ掛けられたタオルを、タグ体とリング体との間に挟持して、タオルのズレ落ちを防止するようになされたものである。そのため、タグ体、及びリング体は、一定以上の重量を有するものであることが好ましく、例えば、鉄等の金属製にて構成することが好ましい。
【００１４】
吊着体は、タグ体の貫通孔とリング体の貫通孔とを挿通して設けられ、タグ体及びリング体を下方に懸吊するものであり、皮革製、金属製、合成樹脂製等、様々な態様で構成することができる。
本考案に係るタオル保持具は、通常はキャディバッグの手提げ部等に吊着して使用するが、その他に、例えば、ゴルフカートや雨傘等、状況に応じて任意の場所に吊着して使用してよい。
【実施例１】
【００１５】
本考案の一実施形態を、図１〜図４を参照しながら説明する。図１はタオル保持具を示す斜視図、図２（ａ）はタグ体の正面図、図２（ｂ）はタグ体の背面図、図３（ａ）はリング体の正面図、図３（ｂ）はリング体の背面図、図４はタオル保持具の要部側面断面図である。図５はタオル保持具の要部背面図である。なお、図１では、タグ体表面の装飾模様は図示を省略している。
【００１６】
本実施例に係るタオル保持具（１）は、図１に示すように、タグ体（２）と、リング体（３）と、吊着体（４）とから構成されている。
タグ体（２）は金属製で、図２（ａ）（ｂ）及び図４に示すように、円盤状（直径６５ｍｍ、厚さ２ｍｍ）をなして形成されている。
図２（ａ）（ｂ）に示すように、タグ体（２）の正面側には、任意の装飾模様（１０）が略全面に付されるとともに、背面側には、使用者の氏名等を刻設可能な銘板（１１）が埋設されるようになっている。そして、タグ体（２）の上縁部近傍には、左右細長の貫通孔（１２）が穿設されている。
【００１７】
リング体（３）はタグ体（２）と同様の金属製で、図３（ａ）（ｂ）及び図４に示すように、開口部（１５）を有する略ドーナツ状（外周直径８０ｍｍ、内周直径６０ｍｍ、厚さ２ｍｍ）をなし、タグ体（２）よりも一回り大きい外形にて形成されている。
図３（ａ）に示すように、リング体（３）の正面側には、開口部（１５）に沿って一定の深さをなす凹部（１６）が設けられており、図４に示す如く、タグ体（２）の背面側約半部を収容できるようになっている。
また、図３（ａ）（ｂ）に示すように、凹部（１６）上端内周側には補助片（１７）が延設形成され、タグ体（２）の貫通孔（１２）に対応する位置に、同一形状の貫通孔（１８）が設けられている。リング体（３）の開口部（１５）は、この補助片（１７）によって、円形の上側を一部切欠した形状となされているものである。
【００１８】
吊着体（４）は、図１に示すように、上記したタグ体（２）及びリング体（３）の貫通孔（１２）及び（１８）を挿通して設けられるベルト（２０）を用いて構成されている。
ベルト（２０）は皮革製で、図１に示すように、一端（２１）が折り返された状態で止めビス（２２）によって止められており、「日」の字状をなす掛止金具（２３）が、その中央に位置する挿通棒（２４）を、上記折り返しに伴って形成される通し穴（２７）に挿着することによって、取着されている。
図１に示すように、ベルト（２０）の他端（２９）は先端が先細りした形状をなし、長さ方向に複数の掛止孔（３０）が設けられており、他端（２９）を掛止金具（２３）に通して、掛止金具（２３）の挿通棒（２４）に回動可能に支持されるピン（２５）を、掛止孔（３０）に選択的に差し込んで掛止するとともに、掛止環（３２）によって他端（２９）を固定できるようになされている。
また、図１に示すように、タグ体（２）及びリング体（３）に装着した吊着体（４）には、止めビス（３５）が設けられ、ベルト（２０）の抜けが防止されている。
【００１９】
上記のタオル保持具（１）は、吊着体（４）を、例えばキャディバッグの手提げ部に吊着し、図１に示す如く、リング体（３）の下端にタオル（Ｔ）を引っ掛けて使用する。
タオル保持具（１）は、図４に示すように、タグ体（２）の下端が正面側に突出可能であるため、これによりリング体（３）の開口部（１５）が露呈され、タオル（Ｔ）を通し入れることができる。このとき、本実施例では、略円形の大きな開口部（１５）が形成されているため、容易にタオル（Ｔ）を通し入れることができる。
そして、リング体（３）に引っ掛けられたタオル（Ｔ）は、図１に示すように、タグ体（２）とリング体（３）との間に挟持され、タオル（Ｔ）のズレ落ちを防止できるようになっている。
【００２０】
タオル（Ｔ）を引っ掛けていないときには、タグ体（２）が、リング体（３）の凹部（１６）に収容されるため、タグ体（２）とリング体（３）とが一体化して、ばらつきが無く見栄えにも優れている。
また、リング体（３）の背面側からは、図５に示すように、開口部（１５）を介して、タグ体（２）の銘板（１１）を視認できる構成となっており、タグとしての機能を果たすことができるようになっている。
本実施例のように、タグ体（２）の正面側に、装飾模様（１０）を付すことにより、デザインや広告の効果を高めることができる。同様にして、リング体（３）の周縁部等にも適宜の装飾模様を施すこととすれば、より効果的となる。
【００２１】
さらに、上記のタオル保持具（１）においては、掛止金具（２３）に支持されるピン（２５）を、掛止孔（３０）に選択的に差し込むことによって、ベルト一端（２１）の掛止金具（２３）に、ベルト他端（２９）を、長さ調節自在に掛止可能となされているため、どのような物に対しても簡単に、且つ着脱容易に吊着することができ、利便性が高い。
【実施例２】
【００２２】
本考案の他の実施形態を、図６〜図８を参照しながら説明する。図６（ａ）はタグ体の正面図、図６（ｂ）はタグ体の背面図、図７（ａ）はリング体の正面図、図７（ｂ）はタグ体の背面図、図８はタオル保持具の要部側面断面図である。
なお、吊着体（４）の構成については、前実施例と共通するため、以下では説明を省略している。
【００２３】
本実施例に係るタオル保持具（１’）は、図８に示すように、タグ体（２’）とリング体（３’）とを吊着体（４）に懸吊して構成されるものであるが、本実施例では、タグ体（２’）が、図５（ａ）（ｂ）に示すように、略矩形状をなして形成されている。図６（ａ）に示すように、タグ体（２’）の正面側には、使用者の氏名等の文字（１１’）が直接刻設されている。また、タグ体（２’）の上辺には、貫通孔（１２’）が穿たれた吊下片（１２ａ）が上方に突設されている。
【００２４】
リング体（３’）は、図７（ａ）（ｂ）に示すように、略矩形状の外形をなし、その内部には逆台形状の開口部（１５’）が形成されている。図７（ａ）及び図８に示すように、リング体（３’）の正面側には、開口部（１５’）の周縁に沿って、タグ体（２’）を収容可能とする形状の凹部（１６’）が設けられている。凹部（１６’）は、リング体（３’）の上縁端に連通して形成されており、その上辺には、タグ体（２’）の吊下片（１２ａ）及び貫通孔（１２’）に対応して、貫通孔（１８’）を有する吊下片（１８ａ）が延設されている。
【００２５】
本実施例に係るタオル保持具（１’）は、吊下片（１２ａ）及び（１８ａ）にベルト（２０）を挿通し、吊着体（４）を介して、タグ体（２’）及びリング体（３’）を懸吊するものであるが、このようなタオル保持具（１’）であっても、図８に示すように、タグ体（２’）の下端が正面側に突出可能であるため、これによりリング体（３’）の開口部（１５’）が露呈され、タオル（Ｔ）を通し入れることができる。
また、本実施例では、開口部（１５’）を逆台形状に形成しており、下方に向かって開口部（１５’）の左右が窄まる形状としているため、開口部（１５’）の上半部を通すことで、タオル（Ｔ）の出し入れが容易に行えるとともに、リング体（３’）にタオル（Ｔ）を引っ掛けて使用する際には、タオル（Ｔ）のズレ落ちをより効果的に防止することができる。
【産業上の利用可能性】
【００２６】
本考案は、タオルをキャディバッグ等に見栄えよく吊着し、しかもタオルのズレ落ちを防止して確実に保持することができるタオル保持具を提供するものであり、産業上の利用可能性を有する。
【図面の簡単な説明】
【００２７】
【図１】タオル保持具を示す斜視図である。
【図２】（ａ）タグ体の正面図、（ｂ）タグ体の背面図である。
【図３】（ａ）リング体の正面図、（ｂ）リング体の背面図である。
【図４】タオル保持具の要部側面断面図である。
【図５】タオル保持具の要部背面図である。
【図６】（ａ）他の実施形態に係るタグ体の正面図、（ｂ）同タグ体の背面図である。
【図７】（ａ）他の実施形態に係るリング体の正面図、（ｂ）同リング体の背面図である。
【図８】他の実施形態に係るタオル保持具の要部側面断面図である。
【符号の説明】
【００２８】
１、１’  タオル保持具
２、２’  タグ体
３、３’  リング体
４  吊着体
１０  装飾模様
１２、１２’  貫通孔
１５、１５’  開口部
１８、１８’  貫通孔
１６、１６’  凹部
２０  ベルト
２１  一端
２３  掛止金具
２５  ピン
２９  他端
３０  掛止孔
Ｔ  タオル
【図１】
0003131747.tif 000003
【図２】
0003131747.tif 000004
【図３】
0003131747.tif 000005
【図４】
0003131747.tif 000006
【図５】
0003131747.tif 000007
【図６】
0003131747.tif 000008
【図７】
0003131747.tif 000009
【図８】
0003131747.tif 000010
【手続補正書】
【提出日】平成19年3月1日(2007.3.1)
【手続補正１】
【補正対象書類名】図面
【補正対象項目名】図２
【補正方法】変更
【補正の内容】
【図２】
0003131747.tif 000011
【手続補正２】
【補正対象書類名】図面
【補正対象項目名】図６
【補正方法】変更
【補正の内容】
【図６】
0003131747.tif 000012